(57)【特許請求の範囲】
【請求項１】
テレビ放送事業者の送出システムから放送コンテンツを提供されて第１のメディアＩＤルックアップテーブルを生成し、ユーザ端末から受信した第２のメディアＩＤルックアップテーブルと前記第１のメディアＩＤルックアップテーブルとを比較分析して放送コンテンツのチャンネル及び進行区間を識別するメディアＩＤ生成・整合部と、
前記識別されたチャンネルの現在放送中の内容と連動したＡＲ広告データが存在するかどうかを確認して前記ユーザ端末に転送し、前記ユーザ端末から広告データの要求を受信すると、放送中のコンテンツと連動したＡＲ広告データ及び付加情報を前記ユーザ端末に転送する広告部と、
を含み、
前記メディアＩＤ生成・整合部は、前記ユーザ端末から前記第２のメディアＩＤルックアップテーブルを受信しながら前記第１のメディアＩＤルックアップテーブルの転送要求を受け取り、前記ユーザ端末に前記第１のメディアＩＤルックアップテーブルを転送することを特徴とする広告放送事業者サーバ。
【請求項２】
放送コンテンツを受信してディスプレイする放送コンテンツ受信端末から放送コンテンツを獲得する放送コンテンツ獲得部と、
前記獲得した放送コンテンツから第２のメディアＩＤルックアップテーブルを生成し、広告放送事業者サーバから受信した第１のメディアＩＤルックアップテーブルと前記第２のメディアＩＤルックアップテーブルとを比較分析して放送コンテンツのチャンネル及び進行区間を識別するメディアＩＤ生成・整合部と、
前記広告放送事業者サーバから前記識別された放送チャンネルの放送コンテンツと連動したＡＲ広告データの存在有無を受信し、前記識別された放送チャンネルの放送コンテンツと連動したＡＲ広告情報データが存在する場合、前記広告放送事業者サーバにＡＲ広告データの転送を要求することにより、前記広告放送事業者サーバから放送コンテンツと連動したＡＲ広告データ及び付加情報を受信し、前記獲得した放送コンテンツと前記受信したＡＲ広告データとを混合してディスプレイするＡＲ広告データ混合部と、
を含むユーザ端末。
【請求項３】
前記放送コンテンツ獲得部は、マイク及びカメラから構成され、前記放送コンテンツ受信端末のオーディオ信号及びビデオ信号を獲得することを特徴とする請求項２に記載のユーザ端末。
【請求項４】
前記メディアＩＤ生成・整合部は、前記広告放送事業者サーバに前記第２のメディアＩＤルックアップテーブルを転送しながら前記第１のメディアＩＤルックアップテーブルの転送を要求することを特徴とする請求項２に記載のユーザ端末。
【請求項５】
テレビ放送事業者の送出システムから放送コンテンツを提供されて第１のメディアＩＤルックアップテーブルを生成するステップと、
ユーザ端末から受信した第２のメディアＩＤルックアップテーブルと前記第１のメディアＩＤルックアップテーブルとを比較分析して放送コンテンツのチャンネル及び進行区間を識別するステップと、
前記識別されたチャンネルの現在放送中の内容と連動したＡＲ広告データが存在するかどうかを確認して前記ユーザ端末に転送するステップと、
前記ユーザ端末から広告データ要求を受信すると、ＡＲ広告データ及び付加情報を前記ユーザ端末に転送するステップと、
前記ユーザ端末から前記第１のメディアＩＤルックアップテーブルの転送要求を受け取り、前記第１のメディアＩＤルックアップテーブルを前記ユーザ端末に転送するステップと、を含むことを特徴とする広告放送事業者サーバにおけるＡＲ広告提供方法。
【請求項６】
放送コンテンツ受信端末から放送コンテンツを獲得するステップと、
前記獲得した放送コンテンツから第２のメディアＩＤルックアップテーブルを生成するステップと、
広告放送事業者サーバから受信した第１のメディアＩＤルックアップテーブルと前記第２のメディアＩＤルックアップテーブルとを比較分析して放送コンテンツのチャンネル及び進行区間を識別するステップと、
前記広告放送事業者サーバから前記識別された放送チャンネルの放送コンテンツと連動したＡＲ広告データの存在有無を受信するステップと、
前記識別された放送チャンネルの放送コンテンツと連動したＡＲ広告情報データが存在する場合、前記広告放送事業者サーバにＡＲ広告データの転送を要求するステップと、
前記広告放送事業者サーバから放送コンテンツと連動したＡＲ広告データ及び付加情報を受信し、前記獲得した放送コンテンツと前記受信したＡＲ広告データとを混合してディスプレイするステップと、
を含むことを特徴とするユーザ端末におけるＡＲ広告提供方法。
【請求項７】
前記放送コンテンツを獲得するステップは、前記放送コンテンツ受信端末からマイク及びカメラを介してオーディオ信号及びビデオ信号を獲得することを特徴とする請求項６に記載のユーザ端末におけるＡＲ広告提供方法。
【請求項８】
前記広告放送事業者サーバに前記第２のメディアＩＤルックアップテーブルを転送しながら前記第１のメディアＩＤルックアップテーブルの転送を要求するステップをさらに含むことを特徴とする請求項６に記載のユーザ端末におけるＡＲ広告提供方法。
【請求項９】
前記広告データの存在有無を受信するステップは、前記ＡＲ広告データの存在をユーザ端末の画面にアイコンまたは吹き出しによって表示することを特徴とする請求項６に記載のユーザ端末におけるＡＲ広告提供方法。
【発明の詳細な説明】
【技術分野】
【０００１】
本発明は、拡張現実を用いて広告を提供する広告サービスシステム及びその方法に関し、より詳しくは、放送中のコンテンツのメディアＩＤ整合に基づいてリアルタイムで放送中のコンテンツと連動したオンデマンド型双方向放送広告サービスをユーザのモバイル端末に拡張現実として提供する、メディアＩＤ整合に基づいた放送ＡＲ広告サービスシステム及びその方法に関する。
【背景技術】
【０００２】
拡張現実（Augmented Reality。以下、「ＡＲ」と略する）とは、仮想現実（Virtual Reality）と対をなす概念となるものであって、現実の環境に存在するものに対して仮想の情報を重ね合わせて、あたかもそこにあるかのように強い・深い知覚を可能にするコンピュータグラフィックス技法である。拡張現実は、仮想世界を対象とする仮想現実とは異なり、現実の世界に作り出した別の世界を重ね合わせることで現実世界では得られない補足的な情報を提供できるという特徴を有する。
【０００３】
従って、一般に、仮想現実技術では、ユーザは、仮想の環境に没入するようになり、現実の環境を見ることはできないが、拡張現実技術では、ユーザが現実の環境を見ることができ、現実環境に仮想のオブジェクトを上書きした形を有する。換言すれば、仮想現実技術では、ユーザが、現実世界には存在しない人工的に現実感を作り出した仮想の世界を見るようになるが、拡張現実技術では、現実世界に作り出したバーチャルな物体を重ね合わせることで、現実世界を補充してユーザに提供するという点で異なっており、仮想現実に比べてさらに深い現実感を感じることができるという特徴を有する。
【０００４】
この点から、単にゲームのような分野に限定して適用されている仮想現実技術とは異なり、拡張現実技術は、様々な現実環境に応用することができ、特にユビキタス環境に適した次世代ディスプレイ技術として脚光を浴びている。最近、このような拡張現実を用いて広告を提供する各種技術が開発されつつある。
【０００５】
図１〜図３は、従来の技術に係る広告方法を示す図である。
【０００６】
図１には、各種印刷物に特定のマーカー（例えば、ＱＲコード）を挿入し、これをスマートフォンなどを通じて識別することで、当該マーカーにマッピングされた広告を提供する方法が示されている。
【０００７】
図２は、双方向広告方法であって、放送中の画面から特定のアイテムまたは製品を選択すると、この選択された製品に関する広告を提供したり、購買ページへの切り替えがなされるようになる。
【０００８】
図３は、カメラにおける表示部位をクリックすると、街から半径１ｋｍ以内のユーザが要求するコンテンツを確認できる拡張現実を具現化する方法を示す。
【０００９】
しかし、前述のようなユーザ端末においてオンデマンド型双方向広告サービスを提供する従来の方法は、次の３つの問題点を持っている。
【００１０】
第一、オンデマンド型双方向広告サービスは、双方向広告情報を挿入するためには放送コンテンツ中のオブジェクトに対するキーワード定義などのような放送コンテンツの再編集過程を行う必要があり、コンテンツの再使用による著作権の問題を持っている。また、ユーザにとっては、希望のオブジェクトの広告情報を要求するためには、マウスドラッグするなどのユーザ助力過程が求められている。
【００１１】
第二、ＡＲを用いた広告サービスは、印刷物、ロゴ、イメージなどの製品の幾何学的特徴情報を認識・分析可能なＡＲ認識マーカーが必要となるため、広告情報提供環境が制限されている。また、ユーザの要求に応えた詳細情報を提供するため、様々な製品の特徴情報を格納・分析・比較可能な大容量のデータベースが必要となるという問題点がある。
【００１２】
第三、モバイル端末のユーザアプリケーション内に予め広告領域を定義し、アプリケーション実行中の所定位置に広告を維持・提供するサービスは、モバイル端末に設けられるスクリーンのサイズに限界があるため、効果的な広告サービスを提供することが難しいという問題がある。さらに、リアルタイムで放送中のコンテンツ内容と連動した広告サービスをユーザに提供することができないという短所を持っている。
【００１３】
従って、上記の問題点を解決し、放送視聴中に広告を効果的に提供することができる方法が求められている。
【発明の概要】
【発明が解決しようとする課題】
【００１４】
本発明は、上記の問題点を解決するためになされたもので、本発明の目的は、ＡＲ広告放送事業者サーバとユーザのモバイル端末との間で放送中のコンテンツのメディアＩＤをリアルタイムで識別し、ユーザのモバイル端末が放送中のコンテンツ内容と連動したオンデマンド型双方向放送ＡＲ広告をリアルタイムで提供されることができるメディアＩＤ整合に基づいた放送ＡＲ広告サービスシステム及びその方法を提供することにある。
【００１５】
本発明の他の目的は、放送コンテンツの再編集を行うことなく、短期に放送中のコンテンツ内容に相当する独立したＡＲ広告放送情報を生成することで、再編集に伴う著作権紛争を未然に防ぐことができるメディアＩＤ整合に基づいた放送ＡＲ広告サービスシステム及びその方法を提供することにある。
【００１６】
本発明のまた他の目的は、特定の製品を認識するためのＡＲ認識マーカーの生成にかかる費用を低減し、スクリーンのサイズに拘束されずに広告効果を極大化させると共に、リアルタイムで放送中のコンテンツ内容と連動した放送ＡＲ広告サービスをユーザのモバイル端末に提供することができるメディアＩＤ整合に基づいた放送ＡＲ広告サービスシステム及びその方法を提供することにある。
【課題を解決するための手段】
【００１７】
上記の課題を解決するため、本発明の第１の側面によれば、テレビ放送事業者の送出システムから放送コンテンツを受信してディスプレイする放送コンテンツ受信端末と、前記テレビ放送事業者の送出システムから放送コンテンツを提供されて放送コンテンツから第１のメディアＩＤルックアップテーブルを生成し、前記生成した第１のメディアＩＤルックアップテーブルを参照して現在放送中の内容に適合した広告データを検索する広告放送事業者サーバと、前記放送コンテンツ受信端末からリアルタイムで放送コンテンツを獲得し、前記獲得された放送コンテンツから第２のメディアＩＤルックアップテーブルを生成し、現在放送中の内容と連動したＡＲ広告データを前記広告放送事業者サーバから受信し、前記リアルタイムで獲得した放送コンテンツと前記受信した広告データとを拡張現実として混合してディスプレイするユーザ端末と、を含むメディアＩＤ整合に基づいた放送広告サービスシステムが提供される。
【００１８】
本発明の第２の側面によれば、テレビ放送事業者の送出システムから放送コンテンツを提供されて第１のメディアＩＤルックアップテーブルを生成し、ユーザ端末から受信した第２のメディアＩＤルックアップテーブルと前記第１のメディアＩＤルックアップテーブルとを比較分析して放送コンテンツのチャンネル及び進行区間を識別するメディアＩＤ生成・整合部と、前記識別されたチャンネルの現在放送中の内容と連動したＡＲ広告データが存在するかどうかを確認して前記ユーザ端末に転送し、前記ユーザ端末から広告データの要求を受信すると、ＡＲ広告データ及び付加情報を前記ユーザ端末に転送する広告部と、を含む広告放送事業者サーバが提供される。
【００１９】
本発明の第３の側面によれば、放送コンテンツを受信してディスプレイする放送コンテンツ受信端末から放送コンテンツを獲得する放送コンテンツ獲得部と、前記獲得した放送コンテンツから第２のメディアＩＤルックアップテーブルを生成し、広告放送事業者サーバから受信した第１のメディアＩＤルックアップテーブルと前記第２のメディアＩＤルックアップテーブルとを比較分析して放送コンテンツのチャンネル及び進行区間を識別するメディアＩＤ生成・整合部と、前記広告放送事業者サーバから放送コンテンツと連動したＡＲ広告データ及び付加情報を受信し、前記獲得した放送コンテンツと前記受信したＡＲ広告データとを混合してディスプレイするＡＲ広告データ混合部と、を含むユーザ端末が提供される。
【００２０】
本発明の第４の側面によれば、テレビ放送事業者の送出システムから放送コンテンツを提供されて第１のメディアＩＤルックアップテーブルを生成するステップと、ユーザ端末から受信した第２のメディアＩＤルックアップテーブルと前記第１のメディアＩＤルックアップテーブルとを比較分析して放送コンテンツのチャンネル及び進行区間を識別するステップと、前記識別されたチャンネルの現在放送中の内容と連動したＡＲ広告データが存在するかどうかを確認して前記ユーザ端末に転送するステップと、前記ユーザ端末から広告データ要求を受信すると、ＡＲ広告データ及び付加情報を前記ユーザ端末に転送するステップと、を含む広告放送事業者サーバにおけるＡＲ広告提供方法が提供される。
【００２１】
本発明の第５の側面によれば、放送コンテンツ受信端末から放送コンテンツを獲得するステップと、前記獲得した放送コンテンツから第２のメディアＩＤルックアップテーブルを生成するステップと、広告放送事業者サーバから受信した第１のメディアＩＤルックアップテーブルと前記第２のメディアＩＤルックアップテーブルとを比較分析して放送コンテンツのチャンネル及び進行区間を識別するステップと、前記広告放送事業者サーバから放送コンテンツと連動したＡＲ広告データ及び付加情報を受信し、前記獲得した放送コンテンツと前記受信したＡＲ広告データとを混合してディスプレイするステップと、を含むことを特徴とするユーザ端末におけるＡＲ広告提供方法が提供される。
【発明の効果】
【００２２】
本発明によれば、ＡＲ広告放送事業者とユーザのモバイル端末との間で放送中のコンテンツのメディアＩＤをリアルタイムで識別することにより、ユーザのモバイル端末に放送中のコンテンツ内容と連動したオンデマンド型双方向放送ＡＲ広告をリアルタイムで提供できる効果が得られる。
【００２３】
また、本発明によれば、放送コンテンツの再編集を行うことなく、短期に放送コンテンツに相当するＡＲ広告放送情報を生成することにより、再編集に伴う著作権紛争を未然に防止できる効果が得られる。
【００２４】
また、本発明によれば、特定の製品を認識するためのＡＲ認識マーカーの生成にかかる費用を低減し、スクリーンのサイズに拘束されずに広告効果を極大化できる効果が得られる。
【００２５】
また、本発明によれば、放送中のコンテンツと連動したＡＲ広告をリアルタイムで混合して提供することにより、ユーザの広告没入感（集中度）が高くなって広告効果を極大化できる。また、ユーザが視聴するコンテンツの内容を修正する代わりに、ユーザのモバイル端末に独立したＡＲ広告を伝送することで、放送サービス事業者に対する広告放送事業者の従属を解消することができるため、関連融合サービス産業の活性化に寄与できる効果が得られる。
【図面の簡単な説明】
【００２６】
【図１】従来の印刷物マーカーに基づいた広告を示す図である。
【図２】従来の双方向広告を示す図である。
【図３】従来の拡張現実を用いた広告を示す図である。
【図４】本発明の実施の形態に係る広告サービスシステムを示す図である。
【図５】本発明の実施の形態に係る広告サービス提供手順を示す信号フローチャートである。
【図６】本発明の実施の形態に係るユーザのモバイル端末におけるサービス提供手順を示す図である。
【図７】放送ＡＲ広告サービス事業者サーバにおける処理手順を示す図である。
【発明を実施するための形態】
【００２７】
本発明は、ＡＲ広告放送事業者とユーザのモバイル端末との間で放送中のコンテンツのメディアＩＤを識別することで、ユーザのモバイル端末に放送コンテンツ内容と連動したオンデマンド型双方向ＡＲ広告を提供するシステム及び方法を提示する。これにより、本発明では、双方向広告を提供するための放送コンテンツの再編集を行う必要がなく、また、ＡＲ広告情報サービスを提供するための印刷物、ロゴなどの特定のＡＲ認識マーカーを設ける必要がないというメリットを有する。
【００２８】
また、既存の放送コンテンツを再編集する必要がないため、放送コンテンツの著作権を保護することができ、放送中のコンテンツとＡＲ広告とを混合して提供することで、ユーザの広告没入感（集中度）が高くなって広告効果を極大化することができる。また、ユーザが視聴するコンテンツ内容を修正することなく、ユーザのモバイル装置に独立したＡＲ広告放送を提供することで、放送サービス事業者に対する広告放送事業者の従属を解消できるため、関連融合サービス産業の活性化に寄与することができる。
【００２９】
以下、添付の図面を参照して本発明に係る実施の形態を詳細に説明する。本発明の構成及びその作用効果は、以下の詳細な説明によって明確に理解できるようになるだろう。なお、同じ構成要素には、同じ符号を付し、公知の構成に対しては、本発明の要旨から逸脱すると判断される場合、その具体的な説明を省略することとする。
【００３０】
図４は、本発明の実施の形態に係る広告サービスシステムを示す図である。
【００３１】
図４を参照すると、本発明の実施の形態に係るメディアＩＤ整合に基づいた放送ＡＲ広告提供システムは、放送コンテンツを提供するテレビ（公共放送サービス、ケーブルテレビ、ＩＰＴＶなど）放送事業者の送出システム１１０と、このテレビ放送事業者の送出システム１１０から放送コンテンツを受信する放送コンテンツ受信端末１５０と、放送中のコンテンツ内容に適合するように放送ＡＲ広告を提供するＡＲ広告放送事業者サーバ１００と、放送中のコンテンツ内容と連動した広告情報をＡＲとして混合して提供するユーザのモバイル端末１４０とから構成される。
【００３２】
テレビ放送事業者の送出システム１１０は、放送コンテンツを、有無線テレビ放送ネットワーク１３０を介してＡＲ広告放送事業者サーバ１００と一般の（デジタルテレビ、アナログテレビなど）放送コンテンツ受信端末１５０に提供する。
【００３３】
このとき、ＡＲ広告放送事業者サーバ１００においては、テレビ放送事業者の送出システム１１０からの放送コンテンツのオーディオ／ビデオ信号に基づいたメディアＩＤ生成・整合部１０２でメディアＩＤに対するルックアップテーブル（即ち、比較リスト。以下、「第１のメディアＩＤルックアップテーブル」と記する）を生成する。それと同時に、ユーザのモバイル端末１４０では、放送コンテンツ受信端末１５０から再生中のオーディオ／ビデオ信号をユーザのモバイル端末１４０のマイク１４３とカメラ１４４を介してリアルタイムで獲得し、メディアＩＤ生成・整合部１４２でメディアＩＤルックアップテーブル（以下、「第２のメディアＩＤルックアップテーブル」と記する）を生成する。
【００３４】
このようにメディアＩＤルックアップテーブルが生成されると、ＡＲ広告放送事業者サーバ１００とユーザのモバイル端末１４０とでは、第１及び第２のメディアＩＤルックアップテーブルの相互比較分析によって放送中のコンテンツのチャンネル及び進行区間などが識別されるようになる。また、ＡＲ広告放送事業者サーバ１００では、識別されたコンテンツ内容に適合したＡＲ広告データが存在するかどうかを広告コンテンツ情報データベース１０３で検索し、ユーザのモバイル端末１４０に転送する。
【００３５】
このとき、ユーザのモバイル端末１４０では、放送ＡＲ広告情報データが存在する場合、前記広告情報データの存在を、アイコン、吹き出しなどによってユーザ端末のスクリーンに表示し、ユーザは、モバイル端末１４０の各種入力手段を通じて選択することで、ＡＲ広告放送事業者サーバ１００に該当のＡＲ広告データを要求する。ＡＲ広告放送事業者サーバ１００では、要求に応じてユーザのモバイル端末１４０に該当のＡＲ広告データ及び付加情報を転送する。
【００３６】
ユーザのモバイル端末１４０のＡＲ広告データ混合部１４１では、前記放送コンテンツ受信端末１５０からリアルタイムで獲得したビデオ信号と連動したＡＲ広告を拡張現実として混合してディスプレイする。
【００３７】
図５は、本発明の実施の形態に係る広告サービスの提供手順を示す信号フローチャートである。
【００３８】
図５を参照すると、テレビ放送事業者の送出システム１１０では、オーディオ及びビデオ信号から構成された放送コンテンツをＡＲ広告放送事業者サーバ１００及び放送コンテンツ受信端末１５０にそれぞれ提供する（Ｓ５０１、Ｓ５０２）。ユーザのモバイル端末１４０では、放送コンテンツ受信端末１５０でディスプレイされている放送コンテンツをマイク１４３とカメラ１４４を通じてリアルタイムで獲得する（Ｓ５０３）。
【００３９】
前記ＡＲ広告放送事業者サーバ１００とユーザのモバイル端末１４０とでは、それぞれメディアＩＤ生成・整合部１０２、１４２を通じて前記放送コンテンツに対する第１及び第２のメディアＩＤルックアップテーブルを生成する。
【００４０】
このように、各メディアＩＤ生成・整合部１０２、１４２にてメディアＩＤルックアップテーブルが生成されると、ＡＲ広告放送事業者サーバ１００とユーザのモバイル端末１４０とでは、第１及び第２のメディアＩＤルックアップテーブルの相互比較分析を行って放送中のコンテンツのチャンネル及び進行区間などを識別する（Ｓ５０４）。
【００４１】
ＡＲ広告放送事業者サーバ１００のＡＲ広告部１０１では、識別された放送チャンネルのコンテンツに応じたＡＲ広告データが存在するかどうかを広告データベース１０３で検索し、ユーザのモバイル端末１４０に転送する（Ｓ５０５）。このとき、ユーザのモバイル端末１４０のＡＲ広告データ混合部１４１では、放送ＡＲ広告情報データが存在する場合、ＡＲ広告放送事業者サーバ１００で識別された放送チャンネルの放送コンテンツと連動したＡＲ広告を要求する（Ｓ５０６）。ＡＲ広告放送事業者サーバ１００では、前記要求に応じてユーザのモバイル端末１４０に該当のＡＲ広告データ及び付加情報を転送する（Ｓ５０７）。
【００４２】
終わりに、ユーザのモバイル端末１４０のＡＲ広告データ混合部１４１では、前記放送コンテンツ受信端末１５０からリアルタイムで獲得した放送コンテンツのビデオ信号と連動したＡＲ広告を拡張現実として混合してディスプレイする。
【００４３】
以下、図６及び図７を参照しながらユーザのモバイル端末及びＡＲ広告放送事業者サーバにおける処理手順について詳述する。
【００４４】
図６は、本発明の実施の形態に係るユーザのモバイル端末におけるサービス提供手順を示す図である。
【００４５】
図６を参照すると、ユーザのモバイル端末１４０では、放送コンテンツ受信端末１５０からユーザ端末のマイク及びカメラを介して放送コンテンツをリアルタイムで獲得する。
【００４６】
メディアＩＤ生成・整合部１４２は、前記獲得された放送コンテンツのオーディオ及びビデオ信号から第２のメディアＩＤルックアップテーブルを生成する。
【００４７】
次に、メディアＩＤ生成・整合部１４２は、ＡＲ広告放送事業者サーバ１００に第１のメディアＩＤルックアップテーブルを要求する。このとき、メディアＩＤ生成・整合部１４２は、第１のメディアＩＤルックアップテーブルを要求しながら広告放送事業者サーバ１００に第１のメディアＩＤルックアップテーブルを転送する。
【００４８】
メディアＩＤ生成・整合部１４２は、ＡＲ広告放送事業者サーバ１００から第１のメディアＩＤルックアップテーブルを受信し、第１及び第２のメディアＩＤルックアップテーブルを比較分析することで、放送コンテンツのチャンネル及び区間を識別する。
【００４９】
次いで、メディアＩＤ生成・整合部１４２は、識別されたチャンネルの放送コンテンツと連動したＡＲ広告データを広告放送事業者サーバ１００に要求し、広告放送事業者サーバ１００から放送コンテンツと連動したＡＲ広告データ及び付加情報を受信する。
【００５０】
ユーザのモバイル端末１４０のＡＲ広告データ混合物１４１は、ＡＲ広告放送事業者サーバ１００から受信した放送コンテンツと連動したＡＲ広告データと放送コンテンツ受信端末１５０からリアルタイムで獲得した放送コンテンツとを混合して拡張現実としてディスプレイする。
【００５１】
図７は、放送ＡＲ広告サービス事業者サーバにおける処理手順を示す図である。
【００５２】
図７を参照すると、ＡＲ放送広告事業者サーバ１００では、リアルタイムで放送中のコンテンツのオーディオ／ビデオ情報をテレビ放送事業者の送出システム１１０から提供され、メディアＩＤ生成・整合部１０２で放送コンテンツに対するチャンネル及び区間情報を識別するための第１のメディアＩＤルックアップテーブルを生成し、この生成された第１のメディアＩＤルックアップテーブルを、ユーザのモバイル端末１４０の要求に応じてユーザのモバイル端末１４０に転送する。
【００５３】
このとき、メディアＩＤ生成・整合部１０２は、ユーザのモバイル端末１４０から転送された第２のメディアＩＤルックアップテーブルを、前記生成した第１のメディアＩＤルックアップテーブルと比較分析し、メディア識別情報をＡＲ広告部１０１に伝達する。
【００５４】
ＡＲ広告部１０１は、メディア識別情報を通じて広告データベース１０３でＡＲ広告データが存在するかどうかを確認し、ＡＲ広告データの存在有無を、ユーザのモバイル端末１４０に転送する。ＡＲ広告部１０１は、ユーザのモバイル端末１４０のＡＲ広告データ転送要求に応じてＡＲ広告データ及び付加情報を、ユーザのモバイル端末１４０に転送する。
【００５５】
以上、本発明の実施の形態を中心として説明してきたが、これは、本発明の例示に過ぎず、本発明は、本発明の技術分野において通常の知識を有する者に自明な、様々な変形及び均等なその他の実施形態を以下に添付した請求の範囲内において行うことができるとの事実を理解すべきである。
【符号の説明】
【００５６】
１００：ＡＲ広告放送事業者サーバ、１０１：ＡＲ広告サーバ部、１０２：メディアＩＤ生成・整合部、１０３：広告データベース、１１０：テレビ放送事業者の送出システム、１２０：有無線ネットワーク、１３０：有無線テレビ放送ネットワーク、１４０：ユーザのモバイル端末、１４１：ＡＲ広告データ混合部、１４２：メディアＩＤ生成・整合部、１４３：マイク、１４４：カメラ、１５０：放送コンテンツ受信端末。
【図４】
0005405553.tif 000002
【図５】
0005405553.tif 000003
【図６】
0005405553.tif 000004
【図７】
0005405553.tif 000005
【図１】
0005405553.tif 000006
【図２】
0005405553.tif 000007
【図３】
0005405553.tif 000008